(57)【要約】【課題】構成が簡単であり、澱んだ部分が全く無い自然で安定した緩やかな水流をつくることができる水槽を提供すること。【解決手段】水槽本体Ｓ１が上面開放の方体形状に形成されており、底壁１４と第１縦壁１０とを繋ぐ凹状湾曲壁１５に向かって、水流を噴出する複数の噴水孔３０を前記第１縦壁１０と対向する第２縦壁１１に形成してある。前記水槽本体Ｓ１が給排水室Ｓ２と一体的に構成されていると共に、水槽本体Ｓ１と給排水室Ｓ２とが第２縦壁１１により区画されているものである。噴水孔３０は第２縦壁１１の最下部近傍に配列されており、更に、第２縦壁１１の大部分はメッシュ又は多孔板で構成してある。【選択図面】  図１
2005253382.tif 000002
【特許請求の範囲】
【請求項１】
水槽本体が上面開放の方体形状に形成されており、底壁と第１縦壁とを繋ぐ凹状湾曲壁に向かって、水流を噴出する複数の噴水孔を前記第１縦壁と対向する第２縦壁に形成してあることを特徴とする水槽。
【請求項２】
水槽本体が給排水室と一体的に構成されていると共に、水槽本体と給排水室とが第２縦壁により区画されているものであることを特徴とする請求項１記載の水槽。
【請求項３】
噴水孔は第２縦壁の最下部近傍に配列されており、更に、第２縦壁の大部分はメッシュ又は多孔板で構成してあることを特徴とする請求項１又は２記載の水槽。
【請求項４】
給排水室には給水管及び排水管を配置させてあり、吸水管は第２縦壁に形成した噴水孔に連通接続させてあり、排水管はその上端部に設けた排水口から水がオーバーフローして入り込む形式としてあることを特徴とする請求項３記載の水槽。
【発明の詳細な説明】
【技術分野】
【０００１】
この発明は、クリオネ、クラゲ、ウニ、魚類の幼生期に浮遊する幼い稚魚等の浮遊生物や幼生等をも飼育できる水槽に関するものである。
【背景技術】
【０００２】
水槽で浮遊生物を飼育し育成するには、その浮遊物の生活環境にあった適当な水流を水槽内に作り出して、浮遊生物が常に水中に懸垂する状態を作り出す必要がある。これは浮遊生物は水槽において水以外のものに触れた場合、体の表面に傷がつきそれが原因で死に至るからである。
【０００３】
また、この種の水槽では、澱んだ部分が全く無い自然で安定した緩やかな水流をつくることが求められる。
【０００４】
この種の水槽において、上記のような二つの条件を満足するものとするためには、例えば、特許文献１に示すように、底角部から壁面に沿って水を吹き上げるように水流を作ることが考えられる。
【０００５】
しかしながら、特許文献１に示された水槽では、構成が複雑でありコスト高となってしまうという問題がある。
【特許文献１】特開平１０−９８９７７号公報
【発明の開示】
【発明が解決しようとする課題】
【０００６】
そこで、この発明では、構成が簡単であり、澱んだ部分が全く無い自然で安定した緩やかな水流をつくることができる水槽を提供することを課題とする。
【課題を解決するための手段】
【０００７】
（請求項１記載の発明）
この発明の水槽は、水槽本体が上面開放の方体形状に形成されており、底壁と第１縦壁とを繋ぐ凹状湾曲壁に向かって、水流を噴出する複数の噴水孔を前記第１縦壁と対向する第２縦壁に形成してある。
【０００８】
（請求項２記載の発明）
この発明の水槽は、請求項１記載の発明に関し、水槽本体が給排水室と一体的に構成されていると共に、水槽本体と給排水室とが第２縦壁により区画されているものである。
【０００９】
（請求項３記載の発明）
この発明の水槽は、請求項１又は２記載の発明に関し、噴水孔は第２縦壁の最下部近傍に配列されており、更に、第２縦壁の大部分はメッシュ又は多孔板で構成してある。
【００１０】
（請求項４記載の発明）
この発明の水槽は、請求項３記載の発明に関し、給排水室には給水管及び排水管を配置させてあり、吸水管は第２縦壁に形成した噴水孔に連通接続させてあり、排水管はその上端部に設けた排水口から水がオーバーフローして入り込む形式としてある。
【発明の効果】
【００１１】
この発明の水槽は、構成が簡単であり、澱んだ部分が全く無い自然で安定した緩やかな水流をつくることができる。
【発明を実施するための最良の形態】
【００１２】
以下にこの発明の水槽Ｓを実施するための最良の形態としての実施例について詳細に説明する。
【００１３】
図１はこの発明の実施例の水槽Ｓの斜視図、図２は前記水槽Ｓの断面図、図３は前記水槽Ｓが有している排水管２１の斜視図を示している。
【００１４】
（この実施例の水槽Ｓの構成について）
この水槽Ｓは、図１や図２に示すように、水槽本体Ｓ１と給排水室Ｓ２とに区画された上面開放の方体形状のものであり、具体的には第１・第２・第３縦壁１０，１１，１２と、側壁１３，１３と、底壁１４とから構成されていると共に、前記給排水室Ｓ２に給水管２０及び排水管２１を配置して成る。
【００１５】
ここで、この水槽Ｓでは、図１や図２に示すように、水槽本体Ｓ１と給排水Ｓ２の容積割合が６：１程度に設定してあり、第１１縦壁１０と底壁１４とが凹状湾曲壁１５により繋がれていると共に、上記第２縦壁１１の最下部近傍に凹状湾曲壁１５に向かって水流を噴出する複数の噴水孔３０を多数横配列してある。
【００１６】
上記第２縦壁１１には、図１や図２に示すように、上記した複数の噴水孔３０の上側に、広範囲（大部分）に渡ってメッシュ３１（又は多孔板）を設けてあり、これらメッシュ３１（又は多孔板）に形成されている孔は浮遊生物や幼生等が通過しないような大きさに設定にしてある。なお、このように第２縦壁１１の大部分をメッシュ３１（又は多孔板）で構成してあるが、これは浮遊生物や幼生等がメッシュ３１（又は多孔板）に吸着されないようにするためである。
【００１７】
給水管２０は、図１や図２に示すように、縦パイプ２０ａと両端閉塞の横パイプ２０ｂとを連通すべく逆Ｔ字状に形成したものであり、前記横パイプ２０ｂに形成した孔２２を噴水孔３０と連通接続するように設けてある。つまり、縦パイプ２０ａから供給されてきた水は孔２２を介して噴水孔３０から噴出するようになっている。
【００１８】
排水管２１は、図１や図２に示すように、底壁１４に固定された縦パイプ２１ａと、前記縦パイプ２１ａの上端に連通状態に設けられた太い横パイプ２１ｂと、前記横パイプ２１ｂの両側開放部に回動自在に差し込んだ流入管２１ｃとから構成されている。前記流入管２１ｃには、図１や図２に示すように、長手方向に延びる流入口２３が形成されており、横パイプ２１ｂに対して回動させることにより水がオーバーフローする高さを自由に変え得るようにしてある。
【００１９】
なお、この水槽Ｓでは、図２に示すように、上記排水管２１からの水はフィルタ４→ポンプ５→バルブ６を介して給水管２０に圧送されるようにしてある。
【００２０】
また、上記噴水孔３０の大きさは２〜３ｍｍ程度としてあり、前記上記噴水孔３０からの噴水流はバルブ６を調整することで水流速度を自由に変え得るようになっている。
【００２１】
（この実施例の水槽Ｓの優れた作用・効果について）
Ａ．この水槽Ｓでは、図２に示すように、給水管２０に圧送されてきた水は噴水孔３０から噴射され、凹状湾曲壁１５に当たることになる。前記噴水孔３０は、第２縦壁１１の最下部近傍（底壁１４の近傍）に多数横配列してあるから、凹状湾曲壁１５に向かって噴出された水流は、図１や図２に示す矢印の如く循環する。
したがって、通常の水槽では澱みやすい図Ａ域及びＢ域において澱みは全く無く、また自然で安定した緩やかな水流をつくることができる。
【００２２】
Ｂ．この水槽Ｓでは、第１縦壁１０と底壁１４とが凹状湾曲壁１５により繋がれている構成、及び第２縦壁１１の最下部近傍に凹状湾曲壁１５に向かって水流を噴出する複数の噴水孔３０を多数横配列した構成のみの、簡単な付加で、上記Ａの効果を得ることができる。
【００２３】
Ｃ．つまり、この水槽Ｓは、構成が簡単であり、澱んだ部分が全く無い自然で安定した緩やかな水流をつくることができる。
【図面の簡単な説明】
【００２４】
【図１】この発明の実施例の水槽の斜視図。
【図２】前記水槽の断面図。
【図３】前記水槽が有している排水管の斜視図。
【符号の説明】
【００２５】
Ｓ      水槽
Ｓ１    水槽本体
Ｓ２    給排水室
１０    第１縦壁
１１    第２縦壁
１２    第３縦壁
１３    側壁
１４    底壁
１５    凹状湾曲壁
２０    給水管
２１    排水管
２２    孔
２３    流入口
３０    噴水孔
【図１】
2005253382.tif 000003
【図２】
2005253382.tif 000004
【図３】
2005253382.tif 000005